(57)【要約】【課題】プロジェクタから出射した画像光が視聴者の目に直接入射せず、しかも画面の中央に音像を定位させることができる背面投射型ディスプレイ装置を実現する。【解決手段】本発明による背面投射型ディスプレイ装置は、画像光を発生する画像源(1)と、画像光が入射する第１の面(3a)及び画像光が出射する第２の面(3b)を有し、光散乱性又は光拡散性を有するスクリーン(3)と、画像源から発生した画像光を前記スクリーンに入射させる光学系(2)と、スクリーン上に表示される画像に対応した音声を発生するスピーカ(5)とを具える。スクリーン(3)は、スクリーンの第１及び第２の面においてそれぞれ開口する複数の鍵型の空洞を有し、前記スピーカから発生した音波は、スクリーンの第１の面に入射し、鍵型の空洞を経て第２の面から出射する。また、スクリーンは、短冊状の半透明材料の複数のプレートで構成し、各プレート間にスリットを形成することも可能である。【選択図】図１
2007171315.tif 000002
【特許請求の範囲】
【請求項１】
画像光を発生する画像源と、
前記画像光が入射する第１の面及び入射した画像光が出射する第２の面を有し、光散乱性又は光拡散性を有するスクリーンと、
前記画像源から発生した画像光を前記スクリーンに入射させる光学系と、
前記スクリーン上に表示される画像と関連する音を発生するスピーカとを具え、
前記スクリーンは、当該スクリーンの第１及び第２の面においてそれぞれ開口する複数の鍵型の空洞を有し、前記スピーカから発生した音波は、スクリーンの第１の面に入射し、鍵型の空洞を経て第２の面から出射することを特徴とする背面投射型ディスプレイ装置。
【請求項２】
請求項１に記載の背面投射型ディスプレイ装置において、前記スクリーンに形成された各鍵型の空洞は、スクリーンの第１の面において開口する第１の開口部と第２の面において開口する第２の開口部とを有し、第１の開口部と第２の開口部とがスクリーンの水平方向に変位していることを特徴とする背面投射型ディスプレイ装置。
【請求項３】
請求項２に記載の背面投射型ディスプレイ装置において、前記スクリーンを第１の面の側から第２の面を見た場合、スクリーンの水平方向の右側半部において、前記鍵型空洞の第２の開口部が第１の開口部に対して右側に変位し、左側半部において、前記鍵型空洞の第２の開口部は第１の開口部に対して左側に変位することを特徴とする背面投射型ディスプレイ装置。
【請求項４】
前記スクリーンに形成された鍵型の空洞は、スクリーンの第１の面において開口する第１の空間と、第２の面において開口する第２の空間と、これら第１及び第２の空間を連絡する通路とを有し、伝搬する音波に対して低域通過型の音響特性を有することを特徴とする請求項１から３までのいずれか１項に記載の背面投射型ディスプレイ装置。
【請求項５】
請求項１から４までのいずれか１項に記載の反面投射型ディスプレイ装置において、前記スクリーンは、2次元アレイ状に配列され、それぞれ鍵型の空洞を有する光透過性ブロックを有し、配列するブロックの数を変えることによりスクリーンの大きさが自在に変更されるように構成したことを特徴とする背面投射型ディスプレイ装置。
【請求項６】
請求項４に記載の背面投射型ディスプレイ装置において、前記スクリーンは、前記画像源から発生した画像光を集光するフレネルレンズを構成し、当該フレネルレンズのプリズム間に前記鍵型空洞を形成したことを特徴とする背面投射型ディスプレイ装置。
【請求項７】
画像光を発生する画像源と、
前記画像光が入射する第の１面及び入射した画像光が出射する第２の面を有し、光散乱性又は光拡散性を有するスクリーンと、
前記画像源から発生した画像光を前記スクリーンに入射させる光学系と、
前記スクリーンに表示される画像に関連した音を発生するスピーカとを具え、
前記スクリーンは、スクリーンの水平方向の右側半部に配置され、所定の間隔をもって互いに平行に配列され、垂直方向に延在する短冊状の複数の光散乱性又は光拡散性のプレートを有する第１の光透過性プレート群と、スクリーンの水平方向の左側半部に配置され、所定の間隔をもって互いに平行に配列され、垂直方向に延在する短冊状の複数の光散乱性又は光拡散性のプレートを有する第２の光透過性プレート群とを含み、
前記スピーカから発生した音波は、スクリーンの隣接するプレート間に形成されたスリットを介してスクリーンから出射することを特徴とする背面投射型ディスプレイ装置。
【請求項８】
請求項７に記載の背面投射型ディスプレイ装置において、前記第１及び第２の光透過性プレート群の各プレートは、スクリーンの第１の面の側から第２の面を見た場合、隣接するプレートが部分的に重なり合うように配置され、前記第１の光透過性プレート群の各スリットは、入射した音波が右側に拡散するように形成され、前記第２の光透過性プレート群の各スリットは、入射した音波が左側に拡散するように構成したことを特徴とする背面投射型ディスプレイ装置。
【請求項９】
請求項１から８までのいずれか１項に記載の背面投射型ディスプレイ装置において、前記スピーカとして、左チャンネル、センターチャンネル及び右チャンネル用の３個のスピーカを有し、スクリーンのほぼ中央に表示された画像部分と関連する音声の音像がスクリーンのほぼ中央に位置することを特徴とする背面投射型ディスプレイ装置。
【請求項１０】
請求項１から９までのいずれか１項に記載の背面投射型ディスプレイ装置において、少なくとも、前記画像源、光学系、及びスピーカをハウジング内に収納し、当該ハウジングの開口部にスクリーンが配置されていることを特徴とする背面投射型ディスプレイ装置。
【発明の詳細な説明】
【技術分野】
【０００１】
本発明は、画像光と共に音波を透過する音響透過スクリーンを用いた背面投射型ディスプレイ装置に関するものである。
【背景技術】
【０００２】
スクリーンの背後にプロジェクタを配置し、プロジェクタから投影される映像をスクリーンに映し出す背面投射型ディスプレイ装置が実用化されている。このディスプレイ装置では、コンパクトな空間内にプロジェクタや光学系を収納し、大画面表示を実現する表示装置として用いられている（例えば、特許文献１参照）。しかし、従来の背面投射型のスクリーンには音響透過性能はなく、スピーカはスクリーンの下部又は両サイドといった周辺に設置されていた。このため、大画面を実現した場合、画面中央付近に表示される被写体（俳優等）の音像を画面の中央に定位させることが困難であった。
【０００３】
一方、画像光と共に音波を透過する音響透過スクリーンを用い、スクリーンの背後にスピーカを設置できれば、音像を画面中央に定位させることが可能になる。このようなスクリーンとして、スクリーンに小さな孔を多数形成し、小孔を通して音波を視聴者に提供する音響透過型スクリーンが既知である（例えば、特許文献２参照）。このような音響透過型スクリーンを用いれば、役者又は俳優の画面上に位置に応じて音像を定位させることができ、視聴者にとって一層良好な背面投射型ディスプレイ装置を実現することができる。
【０００４】
【特許文献１】特開平4-27928号公報
【特許文献２】特開平6-332073号公報
【発明の開示】
【発明が解決しようとする課題】
【０００５】
多数の小孔が形成されているスクリーンを用いた背面投射型ディスプレイ装置では、プロジェクタから出射した光が小孔を介して視聴者の目に直接入射するため、視聴者に不快感を与えてしまう。このような不具合を解消するため、スクリーンを反射型とし、スクリーンの観客空間側にプロジェクタを配置してスクリーンからの反射画像を表示する画像方法が既知である。しかしながら、このような画像表示装置においては、大画面を表示するためには、長い投影距離が必要であり、広い再生空間が必要となるばかりでなく、機器の設置や調整作業が煩雑になる欠点があった。
【０００６】
本発明の目的は、上述した欠点を解消し、プロジェクタから出射した画像光が視聴者の目に直接入射せず、しかも画面の中央に音像を定位させることができる背面投射型ディスプレイ装置を実現することにある。
【課題を解決するための手段】
【０００７】
本発明による背面透過型ディスプレイ装置は、画像光を発生する画像源と、
前記画像光が入射する第１の面及び入射した画像光が出射する第２の面を有し、光散乱性又は光拡散性を有するスクリーンと、
前記画像源から発生した画像光を前記スクリーンに入射させる光学系と、
前記スクリーン上に表示される画像と関連した音を発生するスピーカとを具え、
前記スクリーンは、当該スクリーンの第１及び第２の面においてそれぞれ開口する複数の鍵型の空洞を有し、前記スピーカから発生した音波は、スクリーンの第１の面に入射し、鍵型の空洞を経て第２の面から出射することを特徴とする。
【０００８】
本発明では、スクリーンを光散乱性又は光拡散性を有する材料で構成すると共に、スクリーンに鍵型の空洞を形成しているので、スピーカから発生した音声は鍵型の空洞を介して観客空間に向け出射し、画像光はスクリーンにより散乱又は拡散して観客空間に向け出射する。この結果、画像源から発生した画像光が観客の目に直接せず、同時にスクリーンの中央に映し出される画像と関連する音の音像を画面の中央に定位させることができる。
【０００９】
本発明による背面投射型ディスプレイ装置の好適実施例は、スクリーンに形成された鍵型の空洞が、スクリーンの第１の面において開口する第１の開口部と第２の面において開口する第２の開口部とを有し、第１の開口部と第２の開口部とがスクリーンの水平方向に変位していることを特徴とする。この好適実施例は、スクリーンを第１の面の側から第２の面を見た場合、スクリーンの水平方向の右側半部において、前記鍵型空洞の第２の開口部が第１の開口部に対して右側に変位し、左側半部において、前記鍵型空洞の第２の開口部は第１の開口部に対して左側に変位することを特徴とする。このように、鍵型空洞の開口部を変位させることにより、スクリーンの背後の左右に配置したスピーカから発生する音波がそれぞれ視聴者の左右の空間に伝搬し、左右の音像定位を実現することができる。
【００１０】
本発明による背面投射型ディスプレイ装置の別の好適実施例は、スクリーンに形成された鍵型の空洞は、スクリーンの第１の面において開口する第１の空間と、第２の面において開口する第２の空間と、これら第１及び第２の空間を連絡する通路とを有し、伝搬する音波に対して低域通過型の音響特性を有することを特徴とする。
【００１１】
本発明による背面投射型ディスプレイ装置の別の好適実施例は、スクリーンは、2次元アレイ状に配列され、それぞれ鍵型の空洞を有する光透過性ブロックを有し、配列するブロックの数を変えることによりスクリーンの大きさが自在に変更されるように構成したことを特徴とする。
【００１２】
本発明による別の背面投射型ディスプレイ装置は、画像光を発生する画像源と、
前記画像光が入射する第の１面及び入射した画像光が出射する第２の面を有し、光散乱性又は光拡散性を有するスクリーンと、
前記画像源から発生した画像光を前記スクリーンに入射させる光学系と、
前記スクリーンに表示される画像に関連した音を発生するスピーカとを具え、
前記スクリーンは、スクリーンの水平方向の右側半部に配置され、所定の間隔をもって互いに平行に配列され、垂直方向に延在する短冊状の複数の光来散乱性又は光拡散性のプレートを有する第１の光透過性プレート群と、スクリーンの水平方向の左側半部に配置され、所定の間隔をもって互いに平行に配列され、垂直方向に延在する短冊状の複数の光散乱性又は光拡散性のプレートを有する第２の光透過性プレート群とを含み、
前記スピーカから発生した音波は、スクリーンの光透過性プレート間の隙間を介してスクリーンから出射することを特徴とする。
【００１３】
本発明による背面投射型ディスプレイ装置の別の好適実施例は、スピーカとして、左チャンネル、センターチャンネル及び右チャンネル用の３個のスピーカを有し、スクリーンのほぼ中央に表示された画像部分と関連する音声の音像がスクリーンのほぼ中央に位置することを特徴とする。
【００１４】
本発明による背面投射型ディスプレイ装置の別の好適実施例は、第１及び第２の光透過性プレート群の各プレートは、スクリーンの第１の面の側から第２の面を見た場合、隣接するプレートが部分的に重なり合うように配置され、前記第１の光透過性プレート群の各スリットは、入射した音波が右側に拡散するように形成され、前記第２の光透過性プレート群の各スリットは、入射した音波が左側に拡散するように構成したことを特徴とする。
【００１５】
本発明による背面投射型ディスプレイ装置の別の好適実施例は、画像源、光学系、及びスピーカを収納するハウジングを有し、当該ハウジングの開口部にスクリーンが配置されていることを特徴とする。本発明では、画像光を透過すると共に音波を通過させる音響透過スクリーンを用いているので、画像源、光学系及びスピーカをハウジング内に収納することができ、この結果、小型でコンパクトな背面投射型ディスプレイ装置を実現することができる。
【発明の効果】
【００１６】
本発明による音響透過スクリーンは、光散乱性又は光拡散性のスクリーン自体が多数の鍵型の空洞を有しているので、スピーカから発生した音声はスクリーンに形成された空洞を介して観客空間に伝搬し、プロジェクタ等の画像源から発生した画像光は光透過性スクリーンにより散乱ないし拡散してから観客空間に向け出射する。この結果、画面の中央に音像を定位させることができると共に、画像光が視聴者の目に直接入射する不具合を解消することができる。
【発明を実施するための最良の形態】
【００１７】
図１は本発明による背面投射型ディスプレイ装置の一例を示す線図であり、図１（ａ）は横方向から見た線図、図１（ｂ）はスクリーンを除いて示す線図的正面図である。表示すべき画像を発生する画像源としてプロジェクタ１を用いる。プロジェクタ１から発生した画像光は、ミラー２を介して本発明による音響透過スクリーン３に入射する。この音響透過スクリーンは半透明のアクリルのような光散乱性又は光拡散性材料で構成することができ、例えばガラス、ポリ塩化ビニール、メタアクリル、ポリカーボネートのような素材に微小な光拡散材を添加した光学材料で構成する。スクリーン３に入射した画像光は、スクリーンを透過し、観客空間の視聴者に向け出射する。尚、本例では、プロジェクタから出射した画像光をスクリーンに入射させる光学系として、ミラー光学系を用いたが、ミラー光学系以外の種々の形態の光学系を用いることができる。
【００１８】
プロジェクタ１、ミラー２及びスクリーン３はハウジング（筐体）４内に収納する。ハウジング４内には、さらに左チャンネル、センターチャンネル及び右チャンネル用の３個のスピーカ５ａ、５ｂ及び５ｃを配置する。これら３個のスピーカから発生した音波もスクリーン３を介して観客空間に向け伝搬する。
【００１９】
図２〜図４は本発明による音響透過スクリーンの一例を示すものであり、図２ａはスクリーンを観客空間側から見た斜視図、図２ｂは図２ａのII-II線断面図、図３は光透過性ブロック及びスクリーンの構造を示す線図的斜視図、及び図４は光透過性ブロックの詳細な構成を示す図である。本例のスクリーン３は、光透過性のブロック１０を2次元アレイ状に配列した構成とする。光透過性ブロックは枠に嵌め込んで所望の大きさの大画面のスクリーンを構成することができる。従って、光透過性ブロックの配置数を変えることにより、所望の大きさの大画面を構成することができる。スクリーン３は、画像源１から発生した画像光及びスピーカから発生した音波が入射する第１の面３ａ並びに画像光及び音波が出射する第２の面３ｂを有する。各光透過性ブロック１０は、音波を伝搬させるための鍵型の空洞１１を有し、各鍵型空洞１１はスクリーンの第１の面すなわち光入射面において開口する開口部１１ａ及びスクリーンの出射側の第２の面において開口する開口部１１ｂを有する。
【００２０】
従って、スクリーン３の光入射面３ａ及び光出射面３ｂには、音波を伝搬させるための開口部が2次元アレイ状に形成され、光入射面側の開口部と光出射面側の開口部は、スクリーン３の水平方向の中央を通る中心線を境にして、右側半部の各ブロックの光出射面側の開口部は光入射面側の開口部に対して右側に変位し、左側半部の各ブロックの光出射面側の開口部は光入射面側の開口部に対して左側に変位する。３個のスピーカ５ａ〜５ｃから発生しスクリーンの第１の面3aに入射した音波は、光透過性ブロックの第１の開口部１１ａに入射し、鍵型空洞１１内を伝搬し、光出射面側の第２の開口部１１ｂから出射する。このように、光入射側の開口部と光出射側の開口部を水平方向に変位させることにより、スクリーンの背後に配置したスピーカの音波がそれぞれ視聴者の左右空間に伝搬し、左右の音像定位を実現することができる。
【００２１】
一方、画像光は、各光透過性ブロックを直接透過してスクリーンから出射する。この際、音波が伝搬する開口部に入射しても、入射側の開口部と出射側の開口部とが互いに変位しているから、スクリーンの内部で拡散ないし散乱して出射し、この結果画像光が直接観客の目に入射する不具合が解消される。
【００２２】
図４に示すように、光透過性ブロックは、上下２分割構造とすることにより、容易に製造することができる。尚、複数の空洞が2次元アレイ状に形成されるように加工された２枚の半透明アクリル板を貼り合わせることによりスクリーンを構成することも可能である。また、スクリーンを構成する光透過性ブロックの材料として、半透明アクリル材、内部に光散乱性物質が含浸されている光散乱性の合成樹脂材料、光拡散性を有する合成樹脂材料やガラス等の種々の光透過性材料を用いることができる。また、スクリーンの光入射面3a又は光出射面3bに光散乱膜や光拡散膜を形成して光散乱性又は光拡散性とすることができる。
【００２３】
図５は光透過性ブロックに形成した鍵型空洞の音響特性を説明するためのものであり、図５（ａ）及び（ｂ）は空洞の寸法を示す図、図５（ｃ）は空洞の音響モデルを示す図、及び図５（ｄ）は鍵型空洞の音響特性を電気的な等価回路として表した図である。本発明による鍵型空洞１１は、互いに反対向きに開口し同一容積Wの２つの小空洞１２a及び１２ｂと、これら小空洞を連絡する通路１２ｃとで構成され、当該鍵型空洞の音響モデルは図（ｃ）のように表現することができる。尚、S1は通路12ｃの断面積であり、ｌ1は通路長である。この鍵型空洞を伝搬する音波の特性は低域通過型の音響特性を有する。この低域通過型の音響透過性能は、空洞の両端の小空洞１２ａ及び１２ｂの容積Ｗと中間の通路１２ｃの断面積S1及び通路長ｌ１に依存するため、所望の音響特性を得るためには、これらの寸法を規定する必要がある。ここで、等価回路のコンプライアンスＣＡ  、イナータンスｍＡ及び遮断周波数ｆ０は以下の式で示される。
2007171315.tif 000003
（１）
2007171315.tif 000004
（２）
2007171315.tif 000005
（３）
ここで、ρは媒質（空気）の密度、ｃは音速（２０°Ｃにおいて340ｍ／s）である。スクリーンの厚さを１０ｍｍとし、空洞１１の開口部の径及び開口部間のピッチを従来の音響透過スクリーン（特許第3,242,201号「サンドスクリーン」）に準拠して求めると、本発明の空洞のサイズは、ｈ1＝ｄ2＝ｌ2＝0．6mm、h２＝5．3mm、ｌ1＝1．4mmとなる。この条件下での遮断周波数ｆ０ は約19kHzとなり、十分な可聴範囲の音波を通過させる特性を有する。尚、スクリーンに入射した音波が出射側の開口部に伝搬せず、横方向に漏れるおそれがある。しかし、この場合、等価回路が縦列接続されているとみなされるので、同等の透過性能を発揮することができる。
【００２４】
図６は本発明による音響透過スクリーンの変形例を示す線図的平面図である。本例では、スクリーンを、所定の間隔を以て配列した複数の短冊状の半透明のプレートで構成する。このスクリーンは、画像源から観客空間側に見て右半部に位置する第１のプレート群２０と左半部に位置する第２のプレート群３０とを有する。右半部に位置する第１のプレート群の各プレート２０ａ〜２０ｄ  （図面を明瞭にするため、４個のプレートだけを図示する）は、形成されるスリットがスクリーンの右方向に広がるように、互いに所定の間隔をもって平行に配列する。左半部に位置する第２のプレート群の各プレート３０ａ〜３０ｄは、形成されるスリットがスクリーンの左方向に広がるように、互いに所定の間隔をもって平行に配列する。また、隣接するプレートは、平面的に見て、画像光の入射面から出射面に向けて互いに部分的に重なり合うように配置し、隣接するプレート間に隙間すなわちスリットを形成する。従って、スクリーンには、それぞれ右側及び左側に向けて延在する複数のスリットが形成され、スピーカから発生した音波は各スリットを通して観客空間に伝搬する。一方、画像光は、散乱性又は拡散性の各プレートを透過して出射する。従って、スクリーンの背後に配置された右チャンネル及び左チャンネルのスピーカから発生した音波は視聴者の左右の空間に伝搬し、左右の音像定位を実現することができる。
【００２５】
視力1.5の人間の目の分解能では、視野に入る0.7分(0.012度)の幅は認識されない(ランベルト環による視力測定による)。従って、60インチ(1328mm(幅)×747mm(高さ) )のディスプレイを視距離2.24m(3H)で視聴して場合、短冊状の材料によって形成されるスリットによる重なり部分の幅を0.47mmに設定すれば、視聴者は気にならないものと解される。また、スリットの開口部を0.5mmとして開口部の面積を従来の音響透過型スクリーン(特許第3242201号)に準拠して決定すると、スリット間隔は6.26mmとなり、212個のスリットが形成される。そして、音波は各スリットを通過し、ホイヘンスの原理によって合成され、スクリーンと対向する視聴者まで伝搬する。スリット間隔と同等の波長の音波が通過した場合には干渉縞が発生し、視聴する位置によって音質が変化するが、人間の可聴波長で最も短い波長でも17mm(周波数は20kHz)であるため、6.26mm間隔でスリットが形成されている場合、音波の干渉による音質変化は微少であり、十分な可聴範囲の音波を通過させる特性を有する。
【００２６】
前述したように、スクリーンの右半部及び左半部には、スクリーンの右側及び左側に向けて延在するスリットが形成されるので、スクリーンの背後の左右に配置したスピーカから発生する音波はそれぞれ視聴者の右側及び左側の空間に伝搬するので、左右の音像定位が実現される。同時に、画像光は散乱性又は拡散性のプレートを透過して観客空間に進入するので、画像光が視聴者の目に直接入射する不具合も解消される。さらに、ハウジング内にプロジェクタ、光学系及び3個のスピーカを収納し、3個のスピーカはそれぞれ右チャンネル、中央チャンネル及び左チャンネルの各位置にそれぞれ配置し、ハウジングの開口部にスクリーンを配置することができる。この結果、各機器をコンパクトに収納することができ、さらに大画面の映像の中央付近に映し出される被写体の音声を画面の中央付近にクリァに定位させることができ、同時に左右の音像定位も実現することができる。
【００２７】
本例の音響スクリーンのスリット構造は、音波を通過するために必要のない部分については、短冊状のプレートとほぼ同等の材料で埋めることも可能である。さらに、スクリーンの必要な部分のみにスリットを形成し、不要な部分についてはスリットを埋め込むことにより、より詳細な音像再生を実現することができ、左右の音像の分離度合いを大きくしたり、映画館に見られるようなフロントスピーカの配置に対応させることも可能である。
【００２８】
図７は本発明による音響透過スクリーンの変形例を示す線図である。本例では、スクリーン自体がフレネルレンズを構成し、画像源から発生した画像光をスクリーンにより集光して観客空間に向けて出射させる。フレネルレンズは、薄い板状のレンズであり、同心状に配列された複数の円環状のプリズムの集合体であるから、スクリーンを光拡散性又は光散乱性を有する半透明な光学材料で構成することにより、音響透過スクリーンとして有効に利用することができる。本例では、フレネルレンズの各プリズムの平面側が観客空間に向き斜面側が画像源側に位置するようにスクリーンを配置する。そして、フレネルレンズを構成する隣接するプリズム間に鍵型空洞を形成する。スピーカから発生した音波は、プリズム間の鍵型空洞内を伝搬して観客空間に向けて出射する。この鍵型の空洞は、図５に示す音響モデル及び音響等価回路とほぼ同一のものであり、低域通過型フィルタの特性を有している。従って、画像源から発生した画像光が観客に目に直接入射する不具合が解消されると共に、スクリーンの中央に位置する被写体と関連する音を画面中央付近にクリァに定位させることができる。
【図面の簡単な説明】
【００２９】
【図１】本発明による背面投射型ディスプレイ装置の一例を示す線図である。
【図２】本発明による音響透過スクリーンの一例を示す線図である。
【図３】的斜視図、及び図４は光透過性ブロックの詳細な構成を示す図である。
【図４】光透過性ブロックの一例を示す線図である。
【図５】鍵型空洞の音響特性を説明する図である。
【図６】本発明による音響スクリーンの変形例を示す線図である。
【図７】本発明による音響スクリーンの変形例を示す線図である。
【符号の説明】
【００３０】
１  プロジェクタ
２  ミラー
３  スクリーン
４  ハウジング
５  スピーカ
１０  光透過性ブロック
１１  空洞
２０  第１のプレート群
３０  第２のプレート群
【図１】
2007171315.tif 000006
【図２】
2007171315.tif 000007
【図３】
2007171315.tif 000008
【図４】
2007171315.tif 000009
【図５】
2007171315.tif 000010
【図６】
2007171315.tif 000011
【図７】
2007171315.tif 000012